(57)【要約】【課題】建物内に縦穴状に配設されて上方側の投入口から投入された投入物を下方側の搬出口から搬出可能なリネンシュートを用いて自然排気を効率的に行うことができ、建物内のスペースを有効に活用できる自然排気システムを提供する。【解決手段】建物１内に縦穴状に配設されて上方側の開閉自在な投入口１１から投入された投入物を下方側の搬出口１２から搬出可能なリネンシュート１０を用いた自然排気システム２０であって、室内ＲＳの空気をリネンシュート１０に導く排気路２１、及び、リネンシュート１０の上部側で屋外Ｏに開口する屋外排気口２４を有して、排気路２１、リネンシュート１０、屋外排気口２４を通じて室内ＲＳの空気を自然排気可能な自然排気手段Ａが備えられている。【選択図】図２
2020169470.tif 000002
【特許請求の範囲】
【請求項１】
建物内に縦穴状に配設されて上方側の開閉自在な投入口から投入された投入物を下方側の搬出口から搬出可能なリネンシュートを用いた自然排気システムであって、
室内の空気を前記リネンシュートに導く排気路、及び、前記リネンシュートの上部側で屋外に開口する屋外排気口を有して、前記排気路、前記リネンシュート、前記屋外排気口を通じて室内の空気を自然排気可能な自然排気手段が備えられている自然排気システム。
【請求項２】
前記自然排気手段には、前記排気路を開閉可能な排気用ダンパが備えられている請求項１記載の自然排気システム。
【請求項３】
前記排気用ダンパが、所定温度以上となると閉じ作動する防火ダンパにて構成されている請求項２記載の自然排気システム。
【請求項４】
前記投入口が開閉自在に構成され、
前記排気用ダンパが、前記リネンシュートの前記投入口が開かれるのに連動して閉じ作動するように構成されている請求項２又は３記載の自然排気システム。
【請求項５】
前記リネンシュートの内面が、光反射性の素材にて構成され、
前記リネンシュートの上部側で屋外から自然光を取り入れ可能な採光部が備えられている請求項１〜４のいずれか１項に記載の自然排気システム。
【発明の詳細な説明】
【技術分野】
【０００１】
本発明は、自然換気時等に室内の空気を自然排気する自然排気システムに関する。
【背景技術】
【０００２】
ホテル等の用途の建物では、使用済のシーツ等のリネン類（投入物の一例）を上階側の運搬元階（宿泊室を有する階等）から下階側の運搬先階（洗濯室を有する最下階等）に運搬するためのリネンシュートが配設されることが多い。
このようなリネンシュートは、上階側の運搬元階に対応する部位に、投入口が設けられ、下階側の運搬先階に対応する部位に、重力で落下搬送されてくるリネン類を運搬先階の洗濯室等に搬出可能な搬出口が設けられている。
そのため、宿泊室等を清掃する作業者は、上階側の運搬元階に設けられた投入口からリネンシュートにリネン類を投入するだけで、下階側の運搬先階にリネン類を運搬することができる。
【発明の概要】
【発明が解決しようとする課題】
【０００３】
ところで、上記のようなリネンシュートは、各階毎で占める面積はさほど大きくはないが、複数階に亘って設けられるために建物全体では比較的大きな面積を占有している。
ところが、このように建物全体では比較的大きな面積を占有しているにもかかわらず、リネンシュートは、宿泊客が入れ替わる午前中の短い時間（例えば１〜２時間）に一斉に使用されるだけで、それ以外の多くの時間では全く使用されておらず、建物内のスペースを有効に活用できていないのが実情である。
【０００４】
この実情に鑑み、本発明の主たる課題は、建物内に縦穴状に配設されて上方側の投入口から投入された投入物を下方側の搬出口から搬出可能なリネンシュートを用いて自然排気を効率的に行うことができ、建物内のスペースを有効に活用できる自然排気システムを提供する点にある。
【課題を解決するための手段】
【０００５】
本発明の第１特徴構成は、建物内に縦穴状に配設されて上方側の開閉自在な投入口から投入された投入物を下方側の搬出口から搬出可能なリネンシュートを用いた自然排気システムであって、
室内の空気を前記リネンシュートに導く排気路、及び、前記リネンシュートの上部側で屋外に開口する屋外排気口を有して、前記排気路、前記リネンシュート、前記屋外排気口を通じて室内の空気を自然排気可能な自然排気手段が備えられている点にある。
【０００６】
本構成によれば、自然排気手段により、排気路、リネンシュート、屋外排気口を通じて室内の空気を自然排気することができるので、ホテル等の建物において使用時間帯の短いリネンシュートを用いて室内の空気を効率良く自然排気することができ、建物内のスペースを有効に活用することができる。
【０００７】
本発明の第２特徴構成は、前記自然排気手段には、前記排気路を開閉可能な排気用ダンパが備えられている点にある。
【０００８】
本構成によれば、排気用ダンパを開くことで、排気路、リネンシュート、屋外排気口を通じて室内の空気を自然排気することができる。また、リネン類等の投入物を投入口から投入してリネンシュートにて下方側に移動させる場合には、排気用ダンパを閉じることで、リネンシュート内を投入物が滑落することで発生する粉塵等が排気路を通じて室内に侵入するのを防止することができる。
【０００９】
本発明の第３特徴構成は、前記排気用ダンパが、所定温度以上となると閉じ作動する防火ダンパにて構成されている点にある。
【００１０】
本構成によれば、火災時等の所定温度以上になった場合に防火ダンパにて排気路を自動的に遮断することができ、火災時等においてリネンシュート（又はそれが配置される縦穴区画等）を建物内の他の部位と適切に区画することができる。
【００１１】
本発明の第４特徴構成は、前記投入口が開閉自在に構成され、
前記排気用ダンパが、前記リネンシュートの前記投入口が開かれるのに連動して閉じ作動するように構成されている点にある。
【００１２】
本構成によれば、リネンシュートの開閉自在な投入口が開かれた場合に排気用ダンパにて排気路を自動的に遮断することができる。よって、投入口から投入物が投入されてリネンシュート内を滑落することで発生する粉塵等が排気路を通じて室内に侵入するのを防止することができる。
【００１３】
本発明の第５特徴構成は、前記リネンシュートの内面が、光反射性の素材にて構成され、
前記リネンシュートの上部側で屋外から自然光を取り入れ可能な採光部が備えられている点にある。
【００１４】
本構成によれば、採光部からリネンシュート内に取り入れた自然光を、光反射性の素材からなる内面で反射させながら室内側に導くことができる。そして、リネンシュートの投入口や排気路の開口端等の放光部、或いは、専用の放光部等から室内に自然光を放光することができる。よって、ホテル等の建物において使用時間帯の短いリネンシュートを有効に活用して自然採光も効率的に行うことができる。
【図面の簡単な説明】
【００１５】
【図１】自然排気システムを適用した建物（リネンシュート使用時の状態）を示す図
【図２】自然排気システムを適用した建物（自然換気時の状態）を示す図
【図３】自然排気システムを適用した建物の別実施形態（自然換気・自然採光時の状態）を示す図
【発明を実施するための形態】
【００１６】
本発明に係る自然排気システムの実施形態を図面に基づいて説明する。
図１、図２に示す建物１は、例えば、宿泊室や洗濯室や共用廊下等の換気対象室３（室の一例）が備えられたホテル等の用途の中高層建物等として構成されている。
この建物１には、図１に示すように、宿泊室等の清掃時等において、使用済のシーツ等のリネン類Ｌ（投入物の一例）を上階側の運搬元階Ｋ１（宿泊室を有する階等）から下階側の運搬先階Ｋ２（洗濯室を有する最下階等）に運搬するためのリネンシュート１０が縦穴状に配設されている。
また、この建物１には、図２に示すように、換気対象室３の自然換気時において、リネンシュート１０を用いて換気対象室３の室内ＲＳの空気の自然排気（図２中の黒塗り矢印参照）を行う自然排気システム２０が備えられている。
【００１７】
なお、図１、図２において、室内ＲＳの空気をリネンシュート１０に導く排気路２１は、空気の通流していない状態を細実線で表し、空気の通流している状態を太実線で表しており、各ダンパＤは、閉じ状態を黒塗りで表し、開き状態を白抜きで表している。また、本例では、自然排気システム２０が、換気対象室３の天井３Ａに形成された吸気口３ａを通じて室内ＲＳの空気を屋外Ｏに排出する場合を例に挙げるが、勿論、天井３Ａに形成された連通口により室内ＲＳと連通する天井チャンバ等を通じて室内ＲＳの空気を屋外Ｏに排出するようにしてもよい。
【００１８】
以下、図１、図２を参照して、リネンシュート１０、自然排気システム２０について順に説明する。
（リネンシュート）
図１に示すように、リネンシュート１０は、金属製の筒状部材等から略鉛直姿勢に構成され、上階側の運搬元階Ｋ１と下階側の運搬先階Ｋ２とを接続している。本例では、リネンシュート１０は、鉄筋コンクリート製の区画体２Ａ等にて建物１内の他の部位と区画された竪穴区画２の内部に配設されている。
【００１９】
このリネンシュート１０における上階側の運搬元階Ｋ１に対応する部位には、当該運搬元階Ｋ１からリネン類Ｌを内部に投入可能な投入口１１が設けられている。
また、リネンシュート１０における下階側の運搬先階Ｋ２に対応する部位には、上階側の運搬元階Ｋ１から投入されて重力で落下搬送されてくるリネン類Ｌを運搬先階Ｋ２の洗濯室等に搬出可能な搬出口１２が設けられている。
そのため、宿泊室等を清掃する作業者は、上階側の運搬元階Ｋ１に設けられた投入口１１からリネンシュート１０にリネン類Ｌを投入するだけで、下階側の運搬先階Ｋ２にリネン類Ｌを運搬することができる。
【００２０】
リネンシュート１０の投入口１１には、作業者が当該投入口１１を開閉自在な扉１１Ａと、当該扉１１Ａの近傍部位（図中、上方で隣接する部位）にてリネンシュート１０が使用されているか否か等のリネンシュート１０の状態をランプ等で表示可能な状態表示部１１Ｂが設けられている。作業者は、状態表示部１１Ｂによりリネンシュート１０が使用されていないこと等を確認した上で、扉１１Ａを操作して投入口１１を開くことで、リネンシュート１０にリネン類Ｌを安全に投入することができる。ちなみに、リネンシュート１０は、危険予防措置として、１つの運搬元階Ｋ１の投入口１１が開かれて使用されているときには、他の運搬元階Ｋ１の投入口１１は開かないように構成されている。
【００２１】
（自然排気システム）
図１、図２に示すように、自然排気システム２０には、自然換気時（図１参照）にリネンシュート１０を通じて換気対象室３の室内ＲＳの空気を屋外Ｏに自然排気可能な自然排気手段Ａと、自然排気手段Ａの動作を制御するためのプログラムを有するコントローラ等の制御部Ｂとが備えられている。なお、図示は省略するが、建物１の各階には、自然換気時に室内ＲＳに外気を自然供給可能な開閉操作自在な給気口等が備えられている。
【００２２】
自然排気手段Ａには、室内ＲＳの空気をリネンシュート１０に導く排気路２１、当該排気路２１を開閉可能な排気用ダンパ２２、排気路２１を通じてリネンシュート１０から室内ＲＳに粉塵等が逆流するのを抑制する通気性のフィルタ２３、リネンシュート１０の上部側で屋外Ｏに開口する屋外排気口２４等が備えられている。
【００２３】
排気路２１は、建物１の各階で換気対象室３の室内ＲＳとリネンシュート１０の内部とを連通させる経路として構成されている。排気路２１は、金属製のダクト等を換気対象室３の天井３Ａに設置された吸気口３ａとリネンシュート１０とに亘って設けることで、竪穴区画２を貫通する状態で換気対象室３の室内ＲＳとリネンシュート１０の内部とを連通している。
【００２４】
屋外排気口２４は、リネンシュート１０の上端部やその近傍部位を屋外Ｏに開放して構成されている。屋外排気口２４は、図示例では、建物１の屋上等に突出する部位のうち、側壁部を構成する鉛直姿勢の区画体２Ａに配置されている。この屋外排気口２４は、リネン類Ｌの落下搬送時にリネンシュート１０の内部が負圧になるのを防止するための通気口に兼用して構成されており、常時開放されている。
【００２５】
排気用ダンパ２２は、電動で開閉作動する金属製の電動式ダンパ等から構成され、排気路２１の途中部位等に設置されている。本例では、排気路２１における竪穴区画２を貫通する部位に設置されている。
排気用ダンパ２２は、例えば、換気対象室３の室内ＲＳ等に設置された操作スイッチ等の操作部を在室者が操作することで、制御部Ｂから送られる開放指令に応じて開き作動するように構成されている。なお、排気用ダンパ２２の通常状態（初期状態）は、開き状態と閉じ状態のいずれに設定されていてもよい。
【００２６】
自然排気システム２０は、排気用ダンパ２２が開き作動することで、図２に示すように、排気路２１が開放されてリネンシュート１０を通じて換気対象室３の室内ＲＳの空気を屋外Ｏに自然排気可能な状態となり、図２中の黒塗り矢印に示すように、排気路２１、リネンシュート１０、屋外排気口２４を介して煙突効果等を利用して室内ＲＳの空気を屋外Ｏに自然排気することができる。よって、使用時間帯の短いリネンシュート１０を用いて室内ＲＳの空気を効率良く自然排気することができ、建物１内のスペースを有効に活用することができる。
【００２７】
ここで、例えば、排気路２１が開放されてリネンシュート１０を用いて室内ＲＳの空気を屋外Ｏに自然排気しているときに、リネンシュート１０にリネン類Ｌが投入されると、排気路２１を通じて室内ＲＳに音や臭いや粉塵等が侵入する虞がある。
そこで、この自然排気システム２０では、リネンシュート１０の投入口１１の扉１１Ａが開かれた場合に排気路２１を自動的に遮断するように構成されている。具体的には、排気用ダンパ２２は、リネンシュート１０の投入口１１の扉１１Ａが開かれたことがセンサ等にて検出されると、制御部Ｂから送られる遮断指令に応じて閉じ作動するように構成されている。排気用ダンパ２２が閉じ作動することで、排気路２１が遮断され、排気路２１を通じて室内ＲＳに音や臭いや粉塵等が侵入するのを確実に防止することができる。
【００２８】
なお、排気用ダンパ２２は、所定温度以上となると閉じ作動する防火ダンパにて構成されている。例えば、温度ヒューズの溶断に連動して閉じ作動させる温度ヒューズ連動式等の公知の防火ダンパ用自動閉鎖装置を排気用ダンパ２２に付設することで、排気用ダンパ２２を防火ダンパにて構成することができる。
そのため、この自然排気システム２０は、火災時に高温下に晒された際に排気用ダンパ２２が自動的に閉じ作動して排気路２１を遮断し、排気路２１を通じて煙や炎が伝播するのを防止することができる。
【００２９】
〔別実施形態〕
本発明の他の実施形態について説明する。尚、以下に説明する各実施形態の構成は、それぞれ単独で適用することに限らず、他の実施形態の構成と組み合わせて適用することも可能である。
【００３０】
（１）上記実施形態では、自然排気システム２０が、リネンシュート１０を用いて室内ＲＳの空気を屋外Ｏに自然排気可能に構成されている場合を例に示したが、図３に示すように、これに加えて、リネンシュート１０を用いて室内ＲＳに自然光Ｓを取り入れ可能に構成されていてもよい。
【００３１】
この場合、例えば、リネンシュート１０の内面の全域、及び、排気路２１の内面の全域が、鏡面材Ｋ（光反射性の素材の一例）にて構成され、取り入れた自然光Ｓをリネンシュート１０の内面及び排気路２１の内面にて反射させて換気対象室３側に導けるように構成されている。また、リネンシュート１０の上部側の屋外排気口２４が、屋外Ｏから自然光Ｓを取り入れ可能な採光部２６として構成され、更に、換気対象室３の天井３Ａに設置された吸気口３ａが、自然光Ｓを室内ＲＳに放光可能な放光部２７として構成されている。
【００３２】
そのため、自然排気システム２０は、図３中の黒塗り矢印で示すように、排気路２１、リネンシュート１０、屋外排気口２４を介して室内ＲＳの空気を屋外Ｏに自然排気できるだけでなく、図３中の一点鎖線矢印で示すように、屋外排気口２４（採光部２６）から自然光Ｓを取り入れ、取り入れた自然光Ｓをリネンシュート１０の内面及び排気路２１の内面の鏡面材Ｋにて反射させて換気対象室３側に導き、換気対象室３の天井３Ａに設置された吸気口３ａ（放光部２７）及びリネンシュート１０の搬出口１２から室内ＲＳに自然光Ｓを放光することができる。
【００３３】
なお、屋外Ｏから自然光Ｓを取り入れ可能な採光部２６は、屋外排気口２４とは別に設けられていてもよく、また、自然光Ｓを室内ＲＳに放光可能な放光部２７も、吸気口３ａとは別に設けられていてもよい。更に、リネンシュート１０から放光部２７に自然光を導く導光路も、排気路２１とは別に設けられていてもよい。
【００３４】
また、図３に示す例では、自然排気システム２０が、上階側及び下階側の両方の室内ＲＳに対して、リネンシュート１０を用いて自然排気可能且つ自然光Ｓを取り入れ可能に構成されていたが、例えば、上階側等の一部の階の室内ＲＳのみ、リネンシュート１０を用いて自然排気可能且つ自然光Ｓを取り入れ可能に構成され、下階側等の他部の室内ＲＳは、リネンシュート１０を用いて自然排気のみが可能に構成されていてもよい。
【００３５】
（２）上記実施形態では、リネンシュート１０に投入する投入物としてリネン類Ｌを例に示したが、投入物としては、リネン類Ｌに限らず、ダスト類等の各種のものであってもよい。
【００３６】
（３）上記実施形態では、自然排気システム２０が、各階の室内ＲＳを対象に構成されている場合を例に示したが、上階側や下階側等の一部の階の室内ＲＳを対象に構成されていてもよい。
【符号の説明】
【００３７】
１０        リネンシュート
１１        投入口
１２        搬出口
２０        自然排気システム
２１        排気路
２２        排気用ダンパ
２４        屋外排気口
２６        採光部
Ａ          自然排気手段
Ｏ          屋外
ＲＳ        室内
Ｓ          自然光
【図１】
2020169470.tif 000003
【図２】
2020169470.tif 000004
【図３】
2020169470.tif 000005